(57)【要約】【課題】  遊技関連情報を表示する表示部を遊技者本人以外の遊技者から見難くして遊技者が他人の目を気にすることなく遊技に興じることが可能な遊技機を提供すること。【解決手段】  遊技盤に設けられる図柄表示装置以外の箇所に遊技関連情報を表示する表示部を設けた遊技機において、表示部としてのセグメント表示器８の表示面８ａを遊技盤３０の前面３０ａよりも奥側に配置し、その表示面８ａを透視可能に覆う透視部２１を遊技盤３０の前面とほぼ同一面状になるように設けた。そして、セグメント表示器８は図柄表示装置を取付けるための枠部材１側に取付け、透視部２１を図柄表示装置の前面を装飾する飾り部材１５側に設けた。【選択図】  図１
2007029129.tif 000002
【特許請求の範囲】
【請求項１】
遊技盤に設けられる図柄表示装置以外の箇所に遊技関連情報を表示する表示部を設けた遊技機において、
前記表示部の表示面を遊技盤の前面よりも奥側に配置し、その表示面を透視可能に覆う透視部を遊技盤の前面とほぼ同一面状になるように設けたことを特徴とする遊技機。
【請求項２】
前記表示部の表示面が、遊技盤の裏面よりも奥側に配置されていることを特徴とする請求項１に記載の遊技機。
【請求項３】
前記表示部を前記図柄表示装置を取付けるための枠部材側に取付け、前記透視部を当該図柄表示装置の飾り部材側に設けたことを特徴とする請求項１又は２に記載の遊技機。
【発明の詳細な説明】
【技術分野】
【０００１】
本発明は、図柄表示装置以外の箇所に遊技関連情報を表示する表示部を備えた遊技機に関するものである。
【背景技術】
【０００２】
遊技機として一般的なパチンコ機は、遊技盤の遊技領域に通過ゲート、図柄表示装置、始動入賞口、大入賞装置等を設け、遊技領域に打ち込まれたパチンコ球が通過ゲートを通過することにより普通図柄表示部に所定図柄を表して停止させ、一定時間のみパチンコ球が入賞し易い開放状態とされた始動入賞口にパチンコ球が入賞することにより図柄表示装置の特別図柄表示部を作動させ、その特別図柄表示部に所定の図柄を表して停止すると「大当たり」と言われる特定遊技状態が発生して遊技者に多量の景品球を獲得することができる機会が付与されるように構成されている。
【０００３】
そして、パチンコ機の中には、賞球の未払い出し個数、ラウンド数などの遊技関連情報を表示する表示部を遊技盤の遊技領域や図柄表示装置以外の場所に設けることも行なわれている。例えば、特開２００２−２４８２２２号公報には、遊技盤の非遊技領域に配置された遊技関連情報として賞球の未払い出し個数を表示する表示装置の内容を遊技者側から視認可能とした遊技機が開示されている。その表示装置の表示部は、遊技盤の前面よりも前方に突出した位置に配置されており、遊技機表側の何れの方向からも視認することができる。
【０００４】
しかし、そのような遊技関連情報、特に確率変動状態を示すような情報については、他の遊技者に見られることを望まない遊技者も少なくはなく、表示部を手で隠して他人に見られないようにする遊技者もいるという現状である。
【特許文献１】特開２００２−２４８２２２号公報
【発明の開示】
【発明が解決しようとする課題】
【０００５】
本発明の目的は、遊技関連情報を表示する表示部を遊技者本人以外の遊技者から見難くして遊技者が他人の目を気にすることなく遊技に興じることが可能な遊技機を提供することにある。
【課題を解決するための手段】
【０００６】
前記目的を達成するために請求項１に記載した発明は、遊技盤に設けられる図柄表示装置以外の箇所に遊技関連情報を表示する表示部を設けた遊技機において、前記表示部の表示面を遊技盤の前面よりも奥側に配置し、その表示面を透視可能に覆う透視部を遊技盤の前面とほぼ同一面状になるように設けたことを特徴とする。
【０００７】
同様の目的を達成するために請求項２に記載した発明は、請求項１に記載の遊技機において、前記表示部の表示面が、遊技盤の裏面よりも奥側に配置されていることを特徴とするものである。
【０００８】
同様の目的を達成するために請求項３に記載した発明は、請求項１又は２に記載の遊技機において、前記表示部を前記図柄表示装置を取付けるための枠部材側に取付け、前記透視部を当該図柄表示装置の飾り部材側に設けたことを特徴とするものである。
【発明の効果】
【０００９】
（請求項１の発明）
この遊技機は、遊技関連情報を表示する表示部を遊技盤の前面よりも奥側に配置しているので、遊技者本人以外の遊技者から表示部が見難くなり、遊技者が他人の目を気にすることなく遊技に興じることが可能である。
【００１０】
（請求項２の発明）
この遊技機は、遊技関連情報を表示する表示部を遊技盤の裏面よりも奥側に配置しているので、遊技者本人以外の遊技者から表示部が見難くなり、遊技者が他人の目を気にすることなく遊技に興じることが可能である。
【００１１】
この遊技機は、遊技関連情報を表示する表示部を図柄表示装置を取付ける枠部材側に取付けて透視部を当該図柄表示装置の飾り部材側に設けており、表示部と透視部の組み付け作業を容易に行うことができる。
【発明を実施するための最良の形態】
【００１２】
以下に、本発明の最良の形態例を図面に基づいて説明する。図１は透視部が設けられた飾り部材を、表示部が設けられた枠部材に取り付けた状態を示す正面図、図２は図１の斜視図、図３は図１のＡ−Ａ線断面図、図４は枠部材の正面図、図５は他の実施態様の表示部が設けられた遊技盤の正面図、図６はサイドランプの正面図、図７は表示部を表す箇所における縦断側面図である。
【００１３】
本発明が適用されるパチンコ機では、遊技盤の誘導レールにより囲まれる遊技領域に入賞口、図柄表示装置、通過ゲート、始動入賞口、大入賞口等を設け、パチンコ球を遊技領域に打ち込んで入賞口に入賞させることを目的とする球落としゲームと、パチンコ球を始動入賞口に入賞させることにより開始される公知の図柄合わせゲームとが一連の遊技として行なわれる。図柄表示装置は、図柄合わせゲームに必要な普通図柄や特別図柄を液晶画面部（図示せず）にて変動表示するものである。
【００１４】
このパチンコ機には、図柄表示装置以外の箇所に、普通図柄、賞球の未払い出し個数、ラウンド数、特に大当たり動作終了後の遊技状態が確率変動（確変）状態か、時間短縮（時短）状態か否かなどの遊技関連情報を表示する表示部を設けている。
【００１５】
図４に示すように、図柄表示装置を取り付けるための枠部材１は、取付穴３と位置決め用ボス４が適宜配設された取り付け部２の中央位置に、図柄表示装置の液晶画面部を臨ませる横長矩形状の窓部５が形成されている。６は取り付け部２の四隅に配設された嵌合孔である。この嵌合孔６は、後記飾り部材１５の突起２０を嵌合可能に設けられている。
【００１６】
８は窓部５の右上方で前記取り付け部２の表面から窪むように形成された奥壁２ａに固定された表示部たるセグメント表示器である。このセグメント表示器８の表示面８ａは、図３に示すように、取り付け部２の表面よりも引っ込んだ位置、具体的には遊技盤３０の裏面３０ｂよりも少し奥側に配置されている。
【００１７】
図１に示すように、図柄表示装置の前面を装飾するための飾り部材１５は、取付穴１７が適宜配設された取り付け部１６の中央位置に、前記液晶画面部を臨ませる横長矩形状の窓部１８が形成されていて、図柄合わせゲームの内容を想起させるような立体的デザインが施されている。その取り付け部１６の後方に一体に形成された中枠１９の後面には、前記嵌合孔６に対応する突起２０が設けられている。
【００１８】
２１は前記セグメント表示器８の表示面８ａを透視可能に覆うように設けられた透視部である。この透視部２１は飾り部材１５の取り付け部１６と一体に設けられていて、遊技盤３０の前面３０ａとほぼ同一面状になるように設けられる。
【００１９】
図柄表示装置を取付けた枠部材１は、図３に示すように、遊技盤３０の裏面３０ｂから遊技盤のほぼ中央に形成された開口部３０ｃから液晶画面部を臨ませ、遊技盤３０に形成された嵌合孔３０ｄに位置決め用ボス４を嵌合させた状態で取付穴３に通したビス（図示せず）を締付けることにより当該遊技盤３０に固定されている。他方、飾り部材１５は、遊技盤３０の前面３０ａ側から枠部材１の嵌合孔６に突起２０を嵌合させた状態で取付穴１７に通したビス（図示せず）を締付けることにより当該遊技盤３０に固定される。
【００２０】
しかして、かかる構成になるパチンコ機においては、セグメント表示器８の表示面８ａが遊技盤３０の裏面３０ｂよりも奥側に配置されているので、遊技者は透視部２１を覗くことにより確率変動状態か否か等の情報を確認することが可能となる。
【００２１】
なお、上記実施例では、セグメント表示器８の表示面８ａを遊技盤３０の裏面３０ｂよりも奥側に配置しているが、これを遊技盤３０の前面３０ａよりも奥側（遊技盤３０の裏面３０ｂよりも前方）に配置する構成とすることもできる。また、飾り部材１５の一部１５ａを前方に突出させた形態とすることにより、図柄表示装置に正対する姿勢の遊技者であっても透視部２１を覗かないと前記表示面８ａを視認することができないことから、遊技者に対して遊技の進行中に期待感を持って覗く楽しみをも提供することができる。
【００２２】
つぎに、表示部の他の実施態様について説明する。
図５において、外側レール３６と内側レール３７とにより囲まれる遊技盤３５の遊技領域ｒには、図柄表示装置３８、入賞口３９、通過ゲート４０、始動入賞口４１、大入賞口４２等が設けられている。４３，４６は大入賞口４２の両側に内側レール３７に沿うように設けられたサイドランプである。左側のサイドランプ４３の大入賞口４２寄りには、遊技関連情報を表示するための表示部に対応する透視部４５が設けられている。
【００２３】
図７に示すように、サイドランプ４３の背面側の突出枠４４は、遊技盤３５の開口部３５ｂに挿入されていて、前記表示部としての遊技状態表示部５１と普通図柄表示部５５を備えた電子回路基板５０が突出枠４４に取り付けられている。図６に示すように、遊技状態表示部５１には、確率変動状態時に点灯する左側ランプ５２と、通常状態時に点灯する右側ランプ５３とが並設されている。また、普通図柄表示部５５には、上側ランプ５６と下側ランプ５７を並設している。そして、透視部４５には、上側ランプ５６に対応する位置に〇印、下側ランプ５７に対応する位置に×印を表すようにする。
なお、上記ランプは、何れも遊技盤３５の前面３５ａよりも奥側に配置されている。
【００２４】
しかして、かかる表示部を備えたパチンコ機によれば、遊技者は透視部４５から遊技状態表示部５１を覗くことにより確率変動状態か通常状態かを知ることができ、他方、普通図柄表示部５５を覗くことにより普通図柄の抽選結果を確認することができる。
【００２５】
以上に述べた通り、このパチンコ機は、遊技関連情報を表示するセグメント表示器を遊技盤の前面よりも奥側に配置しているので、遊技者本人以外の遊技者から表示面が見難くなり、遊技者が他人の目を気にすることなく遊技に興じることができる利点を有する。
【図面の簡単な説明】
【００２６】
【図１】透視部が設けられた飾り部材を、表示部が設けられた枠部材に取り付けた状態を示す正面図
【図２】図２は図１の斜視図
【図３】図１のＡ−Ａ線断面図
【図４】枠部材の正面図
【図５】他の実施態様の表示部が設けられた遊技盤の正面図
【図６】サイドランプの正面図
【図７】図５の表示部を表す箇所における縦断側面図
【符号の説明】
【００２７】
１・・・枠部材
８・・・セグメント表示器（表示部）
８ａ・・・表示面
１５・・・飾り部材
２１・・・透視部
３０・・・遊技盤
３０ａ・・・前面  ３０ｂ・・・裏面
３５・・・遊技盤
３８・・・図柄表示装置
４５・・・透視部
５１・・・遊技状態表示部（表示部）
５５・・・普通図柄表示部（表示部）
【図１】
2007029129.tif 000003
【図２】
2007029129.tif 000004
【図３】
2007029129.tif 000005
【図４】
2007029129.tif 000006
【図５】
2007029129.tif 000007
【図６】
2007029129.tif 000008
【図７】
2007029129.tif 000009